(57)【要約】【課題】時間を要することなく簡便に管楽器の音を改変することができる管楽器用音改変具、及び管楽器用音改変具アタッチメントを提供する。【解決手段】石体と、前記石体を固定する石体固定部、及び、螺子部、を備える接続体と、を具備して構成され、前記螺子部を介して管楽器に接続されて前記管楽器の音を改変すること、を特徴とする管楽器用音改変具。【選択図】図１
2020204728.tif 000002
【特許請求の範囲】
【請求項１】
石体と、
前記石体を固定する石体固定部、及び、螺子部、を備える接続体と、を具備して構成され、
前記螺子部を介して管楽器に接続されて前記管楽器の音を改変すること、
を特徴とする管楽器用音改変具。
【請求項２】
前記石体が、ダイヤモンド、ルビー、サファイア、エメラルド、タンザナイト、トルマリン及びアメジストのうちの少なくとも一であること、
を特徴とする請求項１に記載された管楽器用音改変具。
【請求項３】
前記接続体の表面層に、金又はロジウムのメッキ被膜が形成されていること、
を特徴とする請求項１又は２に記載された管楽器用音改変具。
【請求項４】
請求項１〜３のいずれかに記載の管楽器用音改変具を、前記螺子部を介して管楽器に接続することにより、前記管楽器の音を改変すること、
を特徴とする管楽器の音改変方法。
【請求項５】
請求項１〜３のいずれかに記載の管楽器用音改変具が具備する前記螺子部と螺嵌可能な螺子穴部と、管楽器把持部と、を具備して構成されること、
を特徴とする管楽器用音改変具アタッチメント。
【発明の詳細な説明】
【技術分野】
【０００１】
本発明は、管楽器の音を改変する管楽器用音改変具、及び管楽器用音改変具アタッチメントに関する。
【背景技術】
【０００２】
従来、管楽器は幅広い音楽の演奏に使用されており、当該管楽器を演奏する演奏者も多い。演奏者にとって楽器の音質は自身の表現を左右する大きな要因であり、オーケストラ又はソロ等、場面に応じて自身が望む音に少しでも近付けたいと切望している。
【０００３】
ここで、例えば特許文献１（特開２００９−０２０１２８号公報）には、長時間の演奏を要する「ならし」と称される音質改善方法に鑑み、「金属製管楽器を、金属成形体の背面に超音波振動子を付してなる超音波振動付与体の表面側に接触させて、周波数１０〜６０ＫＨｚの超音波振動を与えること」を特徴とする音質改善方法が開示されており、金属製管楽器の音質を改善することができるとされている。
【先行技術文献】
【特許文献】
【０００４】
【特許文献１】特開２００９−０２０１２８号公報
【発明の概要】
【発明が解決しようとする課題】
【０００５】
しかしながら、特許文献１の音質改善方法では、改善に時間を要し、演奏者にとって簡便な音質改善方法であるとは言えなかった。更に、超音波振動子を含む超音波振動付与体のような装置を使用しなければならず、この点からも簡便な音質改善方法とはいえず、また、装飾性にも劣るものである。
【０００６】
そこで、本発明の目的は、上記問題に鑑みてなされたものであり、時間を要することなく簡便に管楽器の音を改変することができ、また、装飾性にも優れる管楽器用音改変具、及び管楽器用音改変具アタッチメントを提供することにある。
【課題を解決するための手段】
【０００７】
上記の課題を解決すべく、本発明は、
石体と、
前記石体を固定する石体固定部、及び、螺子部、を備える接続体と、を具備して構成され、
前記螺子部を介して管楽器に接続されて前記管楽器の音を改変すること、
を特徴とする管楽器用音改変具及び管楽器の音改変方法を提供する。
【０００８】
このような構成を有する本発明の管楽器用音改変具及び管楽器の音改変方法では、ホルン、サックス、及びクラリネット等、幅広い管楽器に接続することが可能で、音（改変する音の要素としては、例えば音量、音程及び音色等が挙げられる。）を改変することができる。管楽器が具備している螺子穴等の係止部に対して簡便に接続することができ、接続位置は演奏性や装飾性・意匠性から任意に決定することができる。
【０００９】
また、上記の本発明の管楽器用音改変具においては、
前記石体が、ダイヤモンド、ルビー、サファイア、エメラルド、タンザナイト、トルマリン及びアメジストのうちの少なくとも一であることが望ましい。
【００１０】
このような構成を有する本発明の管楽器用音改変具では、音をより確実に改変することができ、かつ、装飾性・意匠性に優れる。
【００１１】
また、上記の本発明の管楽器用音改変具においては、
前記接続体の表面層に、金又はロジウムのメッキ被膜が形成されていることが望ましい。
【００１２】
このような構成を有する本発明の管楽器用音改変具では、音の改変の程度や具合を変更することができ、かつ、装飾性・意匠性にも優れる。
【００１３】
本発明は、更に、
上記の本発明の管楽器用音改変具が具備する前記螺子部と螺嵌可能な螺子穴部と、管楽器把持部と、を具備して構成されること、
を特徴とする管楽器用音改変具アタッチメントを提供する。
【００１４】
このような構成を有する本発明の管楽器用音改変具アタッチメントでは、管楽器用音改変具を管楽器の任意の場所に接続することができ、管楽器用音改変具の利便性を向上することができる。例えば、意匠性の問題でホルンのベルに管楽器用音改変具を接続したい場合、ベル近傍に螺子穴等の係止部が存在しないためベルに直接管楽器用音改変具を接続することができないが、管楽器用音改変具を管楽器用音改変具アタッチメントに取り付け、管楽器把持部でベルを把持することによって、簡便に管楽器用音改変具を管楽器に取り付けることができる。
【発明の効果】
【００１５】
本発明により、時間を要することなく簡便に管楽器の音を改変することができ、また、装飾性にも優れる管楽器用音改変具、及び管楽器用音改変具アタッチメントを提供することができる。
【図面の簡単な説明】
【００１６】
【図１】本実施形態に係る管楽器用音改変具１の概要を示す図であって、図１（ａ）は、管楽器用音改変具１を管楽器１０１に取り付けた状態の全体像を示す斜視図であり、図１（ｂ）は、管楽器用音改変具１を管楽器１０１に取り付けた状態を部分的に拡大した斜視図である。
【図２】管楽器用音改変具１の斜視図である。
【図３】図２に示す石体３の構造を示す図であって、図３（ａ）は、石体３の平面図であり、図３（ｂ）は、石体３の側面図である。
【図４】図２に示す接続体５を方向Ｙに見下げた平面図である。
【図５】図２に示す接続体５を方向Ｙに切断した断面図である。
【図６】石体３を接続体５で固定する方法を示す図であり、図６（ａ）は、石体３と接続体５とを接近させる状況を示す模式図であり、図６（ｂ）は、接続体５の石体固定部７で石体３を固定する状況を示す模式図である。
【図７】本実施形態に係る管楽器用音改変具アタッチメント５１の概要を示す斜視図である。
【図８】本実施形態に係る管楽器用音改変具アタッチメント５１の構造を示す図であって、図８（ａ）は、管楽器把持部５５を閉じた状態における管楽器用音改変具アタッチメント５１の側面図であり、図８（ｂ）は、管楽器把持部５５を開いた状態における管楽器用音改変具アタッチメント５１の側面図である。
【図９】管楽器用音改変具アタッチメント５１の使用方法を示す図であって、図９（ａ）は、管楽器用音改変具１を管楽器用音改変具アタッチメント５１に固定する状態を示す模式図であり、図９（ｂ）は、管楽器用音改変具アタッチメント５１を管楽器１０１に接続する状態を示す模式図である。
【図１０】管楽器用音改変具２０１の概要を示す模式図である。
【図１１】管楽器用音改変具２０１の構造を示す図であって、図３（ａ）は、管楽器用音改変具２０１の平面図であり、図３（ｂ）は、管楽器用音改変具２０１の側面図であり、図３（ｃ）は、管楽器用音改変具２０１の正面図である。
【図１２】管楽器用音改変具アタッチメント２５１の構造を示す図であって、図１２（ａ）は、管楽器用音改変具アタッチメント２５１の平面図であり、図１２（ｂ）は、管楽器用音改変具アタッチメント２５１の一部を断面視した側面図である。
【発明を実施するための形態】
【００１７】
以下、図面を参照しながら、本発明に係る管楽器用音改変具及び管楽器用音改変具アタッチメントの代表的な実施形態を詳細に説明する。但し、本発明は当該実施形態に制限されるものではなく、また、各図面は本発明を概念的に説明するものであるから理解容易のために比や数を誇張又は簡略化して表している場合もある。更に、以下において、同一又は相当部分には同一符号を付し、重複する説明は省略することもある。
【００１８】
本実施形態では、管楽器用音改変具１の幅方向（後述する螺子部９の径方向）をＸ、長さ方向（後述する螺子部９の軸方向）をＹとし、説明の理解容易を図る。
【００１９】
１．管楽器用音改変具１の概要
図１を用いて、本実施形態に係る管楽器用音改変具１の概要について説明する。図１は、本実施形態に係る管楽器用音改変具１の概要を示す図であって、図１（ａ）は、管楽器用音改変具１を管楽器１０１に取り付けた状態の全体像を示す斜視図であり、図１（ｂ）は、管楽器用音改変具１を管楽器１０１に取り付けた状態を部分的に拡大した斜視図である。
【００２０】
図１（ａ）に示すとおり、本実施形態に係る管楽器用音改変具１は、管楽器１０１に接続して使用するものであって、管楽器用音改変具１を接続することにより、管楽器１０１の音を改変することができる。改変する音の要素としては、音量、音程、及び音色等を挙げることができ、それぞれがどのように改変されるかは、後述する石体３及び接続体５の材質、形状及び寸法等を含む管楽器用音改変具１の構成によって異なる。
【００２１】
２．管楽器用音改変具１の構造
次に、図２〜６を用いて管楽器用音改変具１の構造について詳細に説明する。図２は、管楽器用音改変具１の斜視図である。図３は、図２に示す石体３の構造を示す図であって、図３（ａ）は、石体３の平面図であり、図３（ｂ）は、石体３の側面図である。図４は、図２に示す接続体５を方向Ｙに見下げた平面図である。図５は、図２に示す接続体５を方向Ｙに切断した断面図である。また、図６は、石体３を接続体５で固定する方法を示す図であり、図６（ａ）は、石体３と接続体５とを接近させる状況を示す模式図であり、図６（ｂ）は、接続体５の石体固定部７で石体３を固定する状況を示す模式図である。
【００２２】
図２に示すとおり、管楽器用音改変具１は、石体３と、石体３を固定する石体固定部７、及び、螺子部９、を備える接続体５と、を具備して構成され、螺子部９を介して管楽器１０１に接続され、管楽器１０１の音を改変すること、を特徴としている。石体３は、管楽器１０１の音を改変する部品であり、接続体５は、石体３を自身に固定し、管楽器１０１に接続する部品である。
【００２３】
＜石体３＞
本実施形態の石体３はいわゆる宝石であり、この石体３は、図３（ａ）及び（ｂ）に示すとおり、石体３は所定の形状にカットされた部品であり、ダイヤモンド、ルビー、サファイア、エメラルド、タンザナイト、トルマリン及びアメジストのうちの少なくとも一であること、を特徴としている。石体３を上記材料から形成することにより、管楽器１０１の音をより明確に改変することができる。以下、各材料の音の改変傾向について詳述するが、石体３の材質（種類）、形状、寸法及び固有振動数等によって、所望する改変が可能となる。
【００２４】
ダイヤモンドは、音全体を引締め、音のコントロール性を向上する効果を得ることができる。また、呼気時の抵抗感が増す一方、力強く呼気することでハイトーンを奏でることができる傾向を有する。ルビーは、温かくはっきりした輪郭の音を奏でることができ、呼気時の抵抗感も安定させることができる。また、サファイアは、呼気時の抵抗感が増す一方、口腔内の気圧を変化させることで安定させることができ、硬く引き締まった音を奏でることができる。
【００２５】
エメラルドは、呼気の強さ及び速さに応じて変化するが、音が広がり、豊かな音色を奏でることができる傾向にある。タンザナイトは、呼気が容易になるため環境に左右されず明るい音色（音程が上がる傾向もある）を響かせることができる。トルマリンは、呼気時の抵抗感を安定化し、コントロール性を向上しつつ落ち着いた音を奏でることができる。また、アメシストは、呼気時の変化は少ないが、音全体をまとめることができる。
【００２６】
本実施形態では、丸形のラウンドブリリアントカット（宝石に用いられる一般的なカット方法）を採用しているが、その他の立方体や球体等の形状としてもよく、後述する接続体５の石体固定部７の形状と合わせて適宜決定すればよい。
【００２７】
＜接続体５＞
図２、図４及び図５に示すとおり、接続体５は、頭部１５に形成された石体固定部７と、管楽器１０１が具備する螺子穴等の係止部１０３と螺嵌する螺子部９を具備して構成されている。石体固定部７は、頭部１５の略中央に形成された穴状の部位であって、上述した石体３の形状に合わせて形成されている。また、頭部１５の縁には、互いが平行となるように２つの平滑部１３が形成されており、別途用意したペンチ等の工具を用いて接続部５を容易に把持することができるよう構成されている（特に図４参照）。
【００２８】
方向Ｙにおける頭部１５の寸法Ｌ１及び石体固定部７の寸法Ｌ３と、方向Ｘにおける石体固定部７の寸法Ｌ４と、は、上述した石体３の形状や寸法に応じて適宜決定すればよく、螺子部９の呼び長さＬ２及び形成する螺子山に関する各寸法は管楽器１０１が具備する螺子穴等の係止部１０３の寸法に応じて適宜決定すればよい（特に図５参照）。
【００２９】
接続体５は、表面層に、金又はロジウムのメッキ被膜１１が形成されていること、を特徴としている。図５に示すとおり、接続体５の表面層にはメッキ被膜１１が形成されており、これによって耐腐食性及び意匠性の向上と、音の改変が図られている。
【００３０】
金は、音が柔らかくなる傾向が得られ、ロジウムは、音が堅硬に引き締まる傾向が得られる。また、メッキ被膜１１の材料と石体３の材料との組合せによっても音の改変効果に影響がある。なお、メッキ被膜１１の好ましい膜厚は、０．１μｍ〜３μｍの範囲とすることが好ましい。
【００３１】
接続部５に対する石体３の固定方法としては、図６（ａ）に示すとおり、石体３と石体固定部７の形状が合致するよう石体３と接続部５の向きを整えつつ双方を方向Ｙに直線配置し、石体３を石体固定部７内に挿入する。次に、図６（ｂ）に示すとおり、石体固定部７の端縁１７近傍を石体３側に押圧して変形させ、石体３を石体固定部７内に固定する。なお、石体３と石体固定部７との固定に接着剤等を用いてもよい。
【００３２】
３．管楽器用音改変具１の使用方法
次に図１（ａ）及び（ｂ）を用いて管楽器用音改変具１の使用方法について詳細に説明する。図１（ａ）及び（ｂ）に示すとおり、管楽器用音改変具１は、管楽器１０１が備える各部の螺子穴等の係止部１０３に取り付けて使用する。
【００３３】
本実施形態では、ホルンに管楽器用改変具１を接続する例を代表して説明しているが、これに限定されるものではなく、サックスやクラリネット等、幅広い管楽器１０１に使用することができる。また、図１（ａ）及び（ｂ）では、管楽器用音改変具１を、ホルンが具備するロータリーキャップの係止部１０３（螺子穴）に取り付けているが、取り付け位置は限定されるものではなく、演奏性や意匠性から任意に決定することができる。
【００３４】
４．管楽器用音改変具アタッチメント５１の概要及び構造
続いて、図７及び図８を用いて、本実施形態に係る管楽器用音改変具アタッチメント５１の概要及び構造について詳細に説明する。図７は、本実施形態に係る音改変具用アタッチメント５１の概要を示す斜視図である。図８は、管楽器用音改変具アタッチメント５１の構造を示す図であって、図８（ａ）は、管楽器把持部５５を閉じた状態における管楽器用音改変具アタッチメント５１の側面図であり、図８（ｂ）は、管楽器把持部５５を開いた状態における管楽器用音改変具アタッチメント５１の側面図である。
【００３５】
図７に示すとおり、管楽器用音改変具アタッチメント５１は、上述した管楽器用音改変具１を管楽器１０１の任意の場所に接続することができ、管楽器用音改変具１の利便性を向上するものである。例えば、意匠性の問題でホルンのベルに管楽器用音改変具１を接続したい場合、ベル近傍に螺子穴等の係止部１０３が存在しないためベルに直接管楽器用音改変具１を接続することができない。しかし、管楽器用音改変具１を管楽器用音改変具アタッチメント５１に取り付け、後述する管楽器把持部５５でベルを把持することによって、簡便に管楽器用音改変具１を管楽器１０１に取り付けることができる。ここでは接続場所としてベルを例に挙げたが、管楽器把持部５５で把持できる部位であればどこでもよい。
【００３６】
図８（ａ）及び（ｂ）に示すとおり、管楽器用音改変具アタッチメント５１は、上述した管楽器用音改変具１が具備する螺子部９と螺嵌可能な螺子穴部５３と、管楽器把持部５５と、を具備して構成されること、を特徴としている。より具体的には、音改変具固定部５７と、音改変具固定部５７に配設された第一当接部５９と、音改変具固定部５７に接続されたアーチ状の第二アーム６７と、第二アーム６７と回動可能に接続された第一アーム６５と、第一アーム６５に挿通された軸部６３と、軸部６３の一方の先端に配設された第二当接部６１と、を具備して構成されている。
【００３７】
螺子穴部５３は、音改変具固定部５７に形成されており、軸部６３は、螺子穴部５３の軸方向（方向Ｙ）と軸部６３の軸方向（方向Ｙ）が略直線上（方向Ｙ）に位置するよう配設されている。第一当接部５９と第二当接部６１は、管楽器把持部５５を構成する部位であって、双方は対向するように配設されており、軸部６３を移動させることによって互いが当接する。
【００３８】
音改変具固定部５７と軸部６３は、第一アーム６５と第二アーム６７によって接続されており、第一アーム６５と第二アーム６７はヒンジ７３を軸にして回動することができる。第一アーム６５は、板バネ６９を具備し、第二アーム６７は、板バネ６９と当接する突起片７１を具備しており、板バネ６９の作用によって管楽器把持部５５を閉じた状態に維持している。
【００３９】
図９（ｂ）に示すとおり、管楽器把持部５５を開くと第二アーム６７と共に突起片７１がヒンジ７３で回動し、板バネ６９を押圧して押し上げた状態となる。板バネ６９は通常状態（管楽器把持部５５を閉じた状態）に戻ろうとするため、突起片７１を押し戻す力が働き、管楽器把持部５５を常時閉じようとする。管楽器用音改変具アタッチメント５１は、このような作用を用いることによって管楽器把持部５５で管楽器１０１を把持することができる。
【００４０】
５．管楽器用音改変具アタッチメント５１の使用方法
次に、図９を用いて管楽器用音改変具アタッチメント５１の使用方法を詳細に説明する。図９は、管楽器用音改変具アタッチメント５１の使用方法を示す図であって、図９（ａ）は、管楽器用音改変具１を管楽器用音改変具アタッチメント５１に固定する状態を示す模式図であり、図９（ｂ）は、管楽器用音改変具アタッチメント５１を管楽器１０１に接続する状態を示す模式図である。
【００４１】
まず、図９（ａ）に示すとおり、螺子部９を螺子穴部５３に挿入し、頭部１５を回転させることによって双方を螺嵌させ、管楽器用音改変具１を管楽器用音改変具アタッチメント５１に固定する。次に、図９（ｂ）に示すとおり、管楽器用音改変具アタッチメント５１の管楽器把持部５５を開き、管楽器用音改変具１の接続を所望する部位を挟持するように管楽器把持部５５を閉じる。上記手順を完了することにより、管楽器用音改変具アタッチメント５１によって管楽器用音改変具１を管楽器１０１に接続することができる。
【００４２】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００４３】
６．その他の管楽器用音改変具２０１
管楽器の構造上、簡便に着脱可能な部品であれば、その部品に代替可能なその他の管楽器用音改変具２０１を採用することもできる。図１０に示すとおり、例えばサックス１０５のネック１０７と本体１０９を連結して固定するためのネックジョイントスクリュー（締め螺子）に石体２０３を固定することで管楽器用音改変具２０１としてもよい。図１０は、管楽器用音改変具２０１の概要を示す模式図である。
【００４４】
図１１を用いて管楽器用音改変具２０１の構造を詳細に説明する。図１１は、管楽器用音改変具２０１の構造を示す図であって、図１１（ａ）は、管楽器用音改変具２０１の平面図であり、図１１（ｂ）は、管楽器用音改変具２０１の側面図であり、図１１（ｃ）は、管楽器用音改変具２０１の正面図である。
【００４５】
図１１（ａ）（ｂ）（ｃ）に示すとおり、管楽器用音改変具２０１は、石体２０３と、接続体２０５と、を具備して構成されている。接続体２０５は、サックス１０５の構成部品として一般的に使用されているネックジョイントスクリューと略同形状の部品であって、螺子部２０９及び把持部２１３を具備している。なお、接続体２０５の表面に金又はロジウムのメッキ被膜を形成し、耐腐食性及び意匠性の向上と、更なる音の改変を図ってもよい。
【００４６】
図１１に示すとおり、管楽器用音改変具２０１は、ネックジョイントスクリューに代替して使用し、サックス１０５に取り付けることができる。より具体的には、サックス１０５のネック１０７と本体１０９の接続位置に配設された締付体１１１等に螺子部２０９を螺嵌して管楽器用音改変具２０１をサックス１０５に取り付けて使用することができる。
【００４７】
７．その他の管楽器用音改変具アタッチメント２５１
管楽器用音改変具を管楽器に取り付けるためのアタッチメントは、上述した態様に限定されるものではなく、例えば図１２に示す管楽器用音改変具アタッチメント２５１を用いて管楽器用音改変具を管楽器に取り付けてもよい。図１２は、管楽器用音改変具アタッチメント２５１の構造を示す図であって、図１２（ａ）は、管楽器用音改変具アタッチメント２５１の平面図であり、図１２（ｂ）は、管楽器用音改変具アタッチメント２５１の一部を断面視した側面図である。
【００４８】
図１２（ａ）及び（ｂ）に示すとおり、管楽器用音改変具アタッチメント２５１は、天面２５５と底面２５７を有する略円錐台形状を呈しており、方向Ｘの中央において方向Ｙに貫通する螺子穴部２５３を具備している。螺子穴部２５３は、管楽器用音改変具の螺子部と螺嵌するものであり、管楽器用音改変具アタッチメント２５１の方向Ｙの寸法は、使用する管楽器用音改変具の螺子部の長さ寸法に応じて決定することが望ましい。
【００４９】
このような管楽器用音改変具アタッチメント２５１を用いれば、係止部等を具備しない管楽器に対しても管楽器用音改変具を簡便に取り付けることができる。例えば両面テープや接着剤等により管楽器に底面２５７を接続して管楽器と管楽器用音改変具アタッチメント２５１を略一体にし、管楽器用音改変具アタッチメント２５１の螺子穴部２５３に管楽器用音改変具の螺子部を螺嵌することで管楽器用音改変具を管楽器に取り付けることができる。
【符号の説明】
【００５０】
１      管楽器用音改変具
３      石体
５      接続体
７      石体固定部
９      螺子部
１１    メッキ被膜
１３    平滑部
１５    頭部
１７    端縁
５１    管楽器用音改変具アタッチメント
５３    螺子穴部
５５    管楽器把持部
５７    音改変具固定部
５９    第一当接部
６１    第二当接部
６３    軸部
６５    第一アーム
６７    第二アーム
６９    板バネ
７１    突起片
７３    ヒンジ
１０１  管楽器
１０３  係止部
１０５  サックス
１０７  ネック
１０９  本体
１１１  締付体
２０１  管楽器用音改変具
２０３  石体
２０５  接続体
２０９  螺子部
２１３  把持部
２５１  管楽器用音改変具アタッチメント
２５３  螺子穴部
２５５  天面
２５７  底面
Ｌ１    寸法
Ｌ２    呼び長さ
Ｌ３    寸法
Ｌ４    寸法
【図１】
2020204728.tif 000003
【図２】
2020204728.tif 000004
【図３】
2020204728.tif 000005
【図４】
2020204728.tif 000006
【図５】
2020204728.tif 000007
【図６】
2020204728.tif 000008
【図７】
2020204728.tif 000009
【図８】
2020204728.tif 000010
【図９】
2020204728.tif 000011
【図１０】
2020204728.tif 000012
【図１１】
2020204728.tif 000013
【図１２】
2020204728.tif 000014